(57)【要約】【課題】従来の天井扇風機におけるブレードの角度を変更しようとする場合に新たに金型を起こして生産しなければならず、製造コストを増加させる問題を解決するブレード連結盤を提供することにある。【解決手段】ブレード連結盤は荷重段と複数の連結段とを有し、前記複数の連結段が前記荷重段の外周に連結され、各前記連結段は相対する連結段表面及びブレード連結面を有し、前記ブレード連結面は少なくとも一つの傾斜部を有し、前記少なくとも一つの傾斜部と水平面との間に風上調整角度又は上下調整角度を形成する。【選択図】図４
2020002946.tif 000002
【特許請求の範囲】
【請求項１】
荷重段と複数の連結段とを有し、
前記複数の連結段が荷重段の外周に連結され、各連結段は相対する連結段表面及びブレード連結面を有し、ブレード連結面は少なくとも一つの傾斜部を有し、前記少なくとも一つの傾斜部と水平面との間に風上調整角度又は上下調整角度を形成する、ブレード連結盤。
【請求項２】
前記ブレード連結面は相対する風上側第一長手辺及び導風側第一長手辺を有し、ブレード連結面と連結段表面の間隔は風上側第一長手辺から導風側第一長手辺へ向かって次第に広がることで前記少なくとも一つの傾斜部が形成され、前記少なくとも一つの傾斜部と水平面との間に風上調整角度が形成される、請求項１に記載のブレード連結盤。
【請求項３】
前記ブレード連結面は荷重段から離れた外側短手辺を有し、ブレード連結面と連結段表面の間隔は外側短手辺からブレード連結面と荷重段の連結箇所へ向かって次第に広がることで前記少なくとも一つの傾斜部が形成され、前記少なくとも一つの傾斜部と水平面との間に上下調整角度が形成される、請求項１または２に記載のブレード連結盤。
【請求項４】
前記ブレード連結面は荷重段から離れた外側短手辺を有し、ブレード連結面と連結段表面の間隔は外側短手辺からブレード連結面と荷重段の連結箇所へ向かって次第に縮まることで前記少なくとも一つの傾斜部が形成され、前記少なくとも一つの傾斜部と水平面との間に上下調整角度が形成される、請求項１または２に記載のブレード連結盤。
【請求項５】
前記連結段表面は相対する風上側第二長手辺及び導風側第二長手辺を有し、連結段表面において荷重段に近接する箇所に折り曲げ案内部を有し、折り曲げ案内部は風上側第二長手辺及び導風側第二長手辺に連結し、各連結段は折り曲げ案内部に沿って荷重段に対して折り曲げられることで前記少なくとも一つの傾斜部が形成され、前記少なくとも一つの傾斜部と水平面の間に風上調整角度又は上下調整角度が形成される、請求項１に記載のブレード連結盤。
【請求項６】
前記連結段表面は相対する風上側第二長手辺及び導風側第二長手辺を有し、連結段表面において荷重段に近接する箇所に折り曲げ案内部を有し、折り曲げ案内部は風上側第二長手辺及び導風側第二長手辺に連結し且つ風上側第二長手辺及び導風側第二長手辺に直交し、各連結段は折り曲げ案内部に沿って荷重段に対して折り曲げられることで前記少なくとも一つの傾斜部が形成され、前記少なくとも一つの傾斜部と水平面の間に上下調整角度が形成される、請求項１に記載のブレード連結盤。
【請求項７】
前記ブレード連結面は別の折り曲げ案内部を有し、ブレード連結面の折り曲げ案内部が連結段表面の折り曲げ案内部に相対する、請求項６に記載のブレード連結盤。
【請求項８】
前記折り曲げ案内部が浅い溝である、請求項５または６に記載のブレード連結盤。
【請求項９】
前記風上調整角度は２度以上かつ１５度以下である、請求項１に記載のブレード連結盤。
【請求項１０】
前記上下調整角度は２度以上かつ１５度以下である、請求項１に記載のブレード連結盤。
【請求項１１】
前記荷重段は複数のカーブ状体が相互に連結して形成される環状体である、請求項１に記載のブレード連結盤。
【請求項１２】
前記連結段と荷重段とが金属により一体成形された、請求項１１に記載のブレード連結盤。
【請求項１３】
さらに係止ブロックを含み、係止ブロックは荷重段に隣接し、係止ブロックはブレード連結面に連結し且つブレード連結面から突出する、請求項１に記載のブレード連結盤。
【請求項１４】
モータと、請求項１〜１３のいずれか一項に記載のブレード連結盤と、複数のブレードとを含み、前記連結盤の荷重段がモータに結合され、各ブレードが連結段のブレード連結面に対応して連結される、天井扇風機。
【請求項１５】
前記各連結段は少なくとも一つの緊締孔を有し、各ブレードは少なくとも一つの貫通孔を有し、互いに対応する連結段の緊締孔とブレードの貫通孔とが緊締部材により貫通結合される、請求項１４に記載の天井扇風機。
【発明の詳細な説明】
【技術分野】
【０００１】
本発明は、ブレード連結盤及びそれを用いた天井扇風機に関し、特に、風量及び送風範囲を調整できる効果を有するブレード連結盤及びそれを用いた天井扇風機に係るものである。
【背景技術】
【０００２】
天井扇風機は床面に場所を取らない上に良好な空気攪拌効果を有するため、大衆に広く愛用されてきた。従来の天井扇風機はステーター、ローター及び複数のブレードを有するものである。ステーターはシャフトを有し、ローターはシャフトの外周に回転自在に結合される。ローターはハブを有し、複数のブレードはハブに結合される。ローターのハブがステーターのシャフトに対して回転し、複数のブレードが同時に回転するように駆動することで、複数のブレードにより風を発生させて気流とするものである。
【０００３】
しかしながら、従来の天井扇風機では、複数のブレードがハブに結合されると、複数のブレードにおける風上角度或いは送風範囲は固定される。従って、使用者が大きい又は小さい風量、広い送風範囲又は集中した送風範囲を有する扇風機を購入しようとすると、使用者の要望に応えるために、メーカーは異なる角度を有するブレードを生産するための金型を起こさなければならず、生産作業に時間がかかるだけでなく、製造コストをも増加させるので、経済的収益を悪化させてしまう問題があった。よって、従来の天井扇風機を改善する必要があった。
【先行技術文献】
【特許文献】
【０００４】
【特許文献１】台湾公告Ｉ６０１９２０号公報
【発明の概要】
【発明が解決しようとする課題】
【０００５】
本発明は、異なる使用者の要求を満たすことのできるブレード連結盤及びそれを用いた天井扇風機を提供することを目的とし、連結盤の複数の連結段が天井扇風機の各ブレードを連結するのに用いることで、ブレードが水平面に対して所要の風上調整角度或いは上下調整角度を形成しようとするものである。
【課題を解決するための手段】
【０００６】
本発明の明細書全文にわたって述べられる方向を示す用語、例えば、「前」、「後」、「左」、「右」、「上（頂）」、「下（底）」、「内」、「外」、「側」などは、主に、添付図面上における方向を示すもので、本発明の各実施例に対する説明と理解を補助するためのものであり、本発明はこれらの方向に限定されるものではない。
【０００７】
本発明のブレード連結盤は、荷重段と複数の連結段とを有し、前記複数の連結段は荷重段の外周に連結され、各連結段は相対する連結段表面及びブレード連結面を有する。ブレード連結面は少なくとも一つの傾斜部を有し、前記少なくとも一つの傾斜部と水平面との間に風上調整角度又は上下調整角度を形成する。
【０００８】
本発明の天井扇風機は、モータと、上記ブレード連結盤と、複数のブレードとを含み、連結盤の荷重段がモータに結合され、各ブレードが連結段のブレード連結面に対応して連結される。
【０００９】
これにより、本発明に係るブレード連結盤及びそれを用いた天井扇風機は、各連結段のブレード連結面に少なくとも一つの傾斜部を有することで、ブレードをブレード連結面に連結すると、ブレードは風上調整角度を形成することによって送風量を調整でき、又は上下調整角度を形成することによって送風範囲を調整することができる。かくして、使用者が大きい又は小さい風量、広い送風範囲又は集中した送風範囲を有する扇風機を購入しようとする場合、いずれの場合もメーカーには異なる角度を有するブレードを生産するための金型を個別に起こす必要がないので、製造コストを低減し、及び経済的収益を向上させる効果を有する。
【００１０】
また、前記ブレード連結面は相対する風上側第一長手辺及び導風側第一長手辺を有し、ブレード連結面と連結段表面の間隔を風上側第一長手辺から導風側第一長手辺へ向かって次第に広げることで前記少なくとも一つの傾斜部が形成され、前記少なくとも一つの傾斜部と水平面の間に風上調整角度を形成することもできる。これにより、構造が簡易で製造され易く、製造コストを低減する効果を有する。
【００１１】
また、前記ブレード連結面が荷重段から離れた外側短手辺を有し、ブレード連結面と連結段表面の間隔を外側短手辺からブレード連結面と荷重段との連結箇所へ向かって次第に広げることで前記少なくとも一つの傾斜部を形成でき、前記少なくとも一つの傾斜部と水平面との間に上下調整角度を形成することもできる。これにより、構造が簡易で製造され易く、製造コストを低減する効果を有する。
【００１２】
また、前記ブレード連結面が荷重段から離れた外側短手辺を有し、ブレード連結面と連結段表面の間隔を外側短手辺からブレード連結面と荷重段との連結箇所へ向かって次第に縮めることで前記少なくとも一つの傾斜部を形成でき、前記少なくとも一つの傾斜部と水平面との間に上下調整角度を形成することもできる。これにより、構造が簡易で製造され易く、製造コストを低減する効果を有する。
【００１３】
また、前記連結段表面が相対する風上側第二長手辺及び導風側第二長手辺を有し、連結段表面において荷重段に近接する箇所に折り曲げ案内部を有し、折り曲げ案内部が風上側第二長手辺及び導風側第二長手辺に連結し、各連結段が折り曲げ案内部に沿って荷重段に対して折り曲げられることで前記少なくとも一つの傾斜部を形成し、前記少なくとも一つの傾斜部と水平面の間に風上調整角度又は上下調整角度を形成するようにも構成できる。これにより、構造が簡易で製造され易く、製造コストを低減する効果を有する。
【００１４】
また、前記連結段表面が相対する風上側第二長手辺及び導風側第二長手辺を有し、連結段表面において荷重段に近接する箇所に折り曲げ案内部を有し、折り曲げ案内部が風上側第二長手辺及び導風側第二長手辺に連結し且つ風上側第二長手辺及び導風側第二長手辺に直交し、各連結段が折り曲げ案内部に沿って荷重段に対して折り曲げられることで前記少なくとも一つの傾斜部が形成され、前記少なくとも一つの傾斜部と水平面の間に上下調整角度が形成されるように構成することもできる。これにより、構造が簡易で製造され易く、製造コストを低減する効果を有する。
【００１５】
また、前記ブレード連結面が別の折り曲げ案内部を有し、ブレード連結面の折り曲げ案内部が連結段表面の折り曲げ案内部に相対するように構成することもできる。これにより、各連結段が荷重段に対して折り曲げられ易くなる効果を有する。
【００１６】
また、前記折り曲げ案内部は浅い溝であってもよい。これにより、各連結段を荷重段に対して折り曲げる操作の順調さを向上させる効果を有する。
【００１７】
また、前記風上調整角度は２度以上、１５度以下であることが好ましい。これにより、より大きい送風量を提供する効果を有する。
【００１８】
また、前記上下調整角度は２度以上、１５度以下であることが好ましい。これにより、送風範囲を調整する効果を有する。
【００１９】
また、前記荷重段は複数のカーブ状体が相互に連結して形成した環状体であってもよい。これにより、運送や梱包の際に、複数のカーブ状体を互いに重ねることができるので、運送や積荷の利便性を向上させる効果を有する。
【００２０】
また、各前記連結段と荷重段とが一体成形された金属からなることもできる。これにより、連結盤の構造強度を向上させる効果を有する。
【００２１】
本発明のブレード連結盤は係止ブロックをさらに含み、係止ブロックは荷重段に隣接し、係止ブロックはブレード連結面に連結し且つブレード連結面から突出するように構成することもできる。これにより、ブレードの位置決め容易に行える効果を有する。
【００２２】
また、前記連結段の各々は少なくとも一つの緊締孔を有し、各ブレードは少なくとも一つの貫通孔を有し、互いに対応する各連結段の緊締孔と各ブレードの貫通孔とが緊締部材により貫通結合されるように構成することもできる。これにより、結合の安定性を向上させる効果を有する。
【図面の簡単な説明】
【００２３】
【図１】本発明の第一実施例によるブレード連結盤の斜視図。
【図２】本発明の第一実施例における別の実施態様の分解斜視図。
【図３】図１のブレード連結盤の部分拡大図。
【図４】本発明の天井扇風機の部分分解斜視図。
【図５】図４のＡ−Ａ線に沿った断面図。
【図６】本発明の第二実施例によるブレード連結盤の部分拡大図。
【図７】本発明の第二実施例によるブレード連結盤がブレードに結合する際の断面図。
【図８】本発明の天井扇風機の斜視図。
【図９】本発明の第三実施例によるブレード連結盤がブレードに結合する際の部分断面図。
【図１０】本発明の第四実施例によるブレード連結盤の部分拡大図。
【図１１】本発明の第五実施例によるブレード連結盤の部分拡大図。
【図１２】本発明の第六実施例によるブレード連結盤の部分拡大図。
【図１３】本発明の第七実施例によるブレード連結盤の部分拡大図。
【発明を実施するための形態】
【００２４】
本発明の実施例について、以下、図面を参照して説明する。
【実施例１】
【００２５】
図１に示されるように、本発明に係るブレード連結盤Ｄの第一実施例は、荷重段１及び複数の連結段２を含み、複数の連結段２が荷重段１の外周に連結される。
【００２６】
荷重段１は環状を成すことが好ましく、一体成形された環状体であっても良く、図２に示されるような、複数のカーブ状体１ａを相互に連結して形成したものであっても良い。これにより、運送や梱包の際に、複数のカーブ状体１ａを互いに重ねることができるので、運送や積荷の利便性を向上させることができる。
【００２７】
各連結段２はそれぞれ荷重段１に連結することができ、ブレード連結盤Ｄの構造強度を向上させるように、各連結段２と荷重段１とが一体成形された金属からなることが好ましい。各連結段２は相対する連結段表面２１及びブレード連結面２２を有し、連結段表面２１とブレード連結面２２との相対的な位置関係としては、連結段表面２１がブレード連結面２２の上に位置しても良く、或いはブレード連結面２２が連結段表面２１の上に位置しても良く、本発明では限定されない。本実施例では、連結段表面２１がブレード連結面２２の上に位置する例を挙げて説明する。
【００２８】
図３に示されるように、より詳しく述べると、ブレード連結面２２は相対する風上側第一長手辺２２ａ及び導風側第一長手辺２２ｂを有することができる。ブレード連結面２２と連結段表面２１の間隔は風上側第一長手辺２２ａから導風側第一長手辺２２ｂへ向かって次第に広がるように形成されることが好ましく、そのため、ブレード連結面２２に第一傾斜部２２１が形成される。第一傾斜部２２１と水平面Ｓとの間に風上調整角度θ１を形成しても良く、風上調整角度θ１は２度以上かつ１５度以下であることが好ましい。さらに、各連結段２は、連結段表面２１及びブレード連結面２２を貫通する複数の緊締孔２３を有することができる。
【００２９】
図４、５に示されるように、上記構造を有することにより、ブレード連結盤Ｄを天井扇風機に合わせて使用することができる。天井扇風機はモータ３及び複数のブレード４を含み、ブレード連結盤Ｄは荷重段１によりモータ３に結合され、複数のブレード４は連結段２のブレード連結面２２に対応して連結される。なお、各ブレード４は、連結段２の複数の緊締孔２３に対応する複数の貫通孔４１を有することができる。これにより、連結段２の緊締孔２３とブレード４の貫通孔４１とが緊締部材Ｆにより貫通結合され、ブレード４を連結段２のブレード連結面２２に確実に連結することができるので、結合の安定性を向上させる。
【００３０】
ブレード連結面２２の第一傾斜部２２１は、ブレード４が水平面Ｓに対して風上調整角度θ１を形成されるようにする。天井扇風機が回転して作動する際、ブレード４の風上側が空気を切り裂いて上下に分けて二つの気流とし、風上調整角度θ１により下方の気流を増加させるので、天井扇風機の回転による送風量を向上させることができる。モータ３の回転速度が低い場合でも、ブレード４は効果的に気流を流動させて、所定の風量を維持することができるので、省エネルギーの効果も有する。
【実施例２】
【００３１】
図６に示されるように、本発明に係るブレード連結盤Ｄの第二実施例において、ブレード連結面２２は荷重段１から離れた外側短手辺２２ｃを有することができる。ブレード連結面２２と連結段表面２１の間隔は外側短手辺２２ｃからブレード連結面２２と荷重段１の連結箇所へ向かって次第に広がることで第二傾斜部２２２を形成する。第二傾斜部２２２と水平面Ｓの間に上下調整角度θ２を形成することができる。なお、上下調整角度θ２は２度以上かつ１５度以下であることが好ましく、これによりブレード４は好適に送風範囲を調整するという効果を有することができる。
【００３２】
図７、８に示されるように、上記構成により、ブレード４を連結段２のブレード連結面２２に連結した後、ブレード連結面２２の第二傾斜部２２２がブレード４をブレード連結面２２と荷重段１の連結箇所から外側短手辺２２ｃへ向かって上がるように形成される。天井扇風機が作動する際、上げられた各ブレード４は送風範囲を拡大させることができるので、大面積スペースで流体を駆動するのに用いることができ、これにより空気を流通させる目的を達し、環境をより快適なものにする。
【実施例３】
【００３３】
図９に示されるように、本発明に係るブレード連結盤Ｄの第三実施例において、ブレード連結面２２と連結段表面２１の間隔は外側短手辺２２ｃからブレード連結面２２と荷重段１の連結箇所へ向かって次第に縮まることで第三傾斜部２２３を形成される。第三傾斜部２２３と水平面Ｓの間に上下調整角度θ２を形成することができる。これにより、ブレード４を連結段２のブレード連結面２２に連結した後、ブレード連結面２２の第三傾斜部２２３がブレード４をブレード連結面２２と荷重段１との連結箇所から外側短手辺２２ｃへ向かって下がるように形成される。天井扇風機が作動する際、下がった各ブレード４は送風範囲を集中させることができるので、小面積スペースで流体を駆動するのに用いることができる。
【実施例４】
【００３４】
図１０に示されるように、本発明に係るブレード連結盤Ｄの第四実施例において、ブレード連結面２２と連結段表面２１の間隔は風上側第一長手辺２２ａから導風側第一長手辺２２ｂへ向かって次第に広がることで第一傾斜部２２１を形成し、且つブレード連結面２２と連結段表面２１の間隔は外側短手辺２２ｃからブレード連結面２２と荷重段１との連結箇所へ向かって次第に広がることで第二傾斜部２２２を形成するので、ブレード連結面２２は第一傾斜部２２１及び第二傾斜部２２２を同時に有する。第一傾斜部２２１と水平面Ｓとの間に風上調整角度θ１を形成することができ、第二傾斜部２２２と水平面Ｓとの間に上下調整角度θ２を形成することができる。
【００３５】
以上により、ブレード４（図４参照）を連結段２のブレード連結面２２に連結した後、第一傾斜部２２１は、ブレード４を水平面Ｓに対して風上調整角度θ１を形成するようにし、第二傾斜部２２２はブレード４をブレード連結面２２と荷重段１の連結箇所から外側短手辺２２ｃへ向かって上がるように形成される。よって、天井扇風機が作動する際は送風量を増加させて送風範囲を拡大させることができるので、使用利便性を向上させる効果を有する。
【実施例５】
【００３６】
図１１に示されるように、本発明に係るブレード連結盤Ｄの第五実施例において、連結段表面２１は相対する風上側第二長手辺２１ａ及び導風側第二長手辺２１ｂを有することができる。連結段表面２１において荷重段１に近接する箇所に、連結段２を荷重段１に対して折り曲げることができるようにする折り曲げ案内部２１１を有することができる。折り曲げ案内部２１１は風上側第二長手辺２１ａ及び導風側第二長手辺２１ｂに連結し、且つ、風上側第二長手辺２１ａ及び導風側第二長手辺２１ｂに直交することが好ましい。折り曲げ案内部２１１は凹み或いは仮想の折り曲げ線であっても良い。本実施例において、折り曲げ案内部２１１は浅い溝であっても良く、これにより各連結段２を折り曲げる操作の順調さを向上させる効果を有する。このような構成を有することによって、各連結段２を折り曲げ案内部２１１に沿って荷重段１に対して上又は下へ折り曲げることができる。本実施例において、各連結段２を荷重段１に対して上へ折り曲げた場合を例に取り説明する。ブレード連結面２２に第二傾斜部２２２を形成することができ、第二傾斜部２２２は水平面Ｓに対して上下調整角度θ２を形成することができる。これにより、上下調整角度θ２を形成するための別の手段を提供することができる。
【実施例６】
【００３７】
図１２に示されるように、本発明に係るブレード連結盤Ｄの第六実施例において、折り曲げ案内部２１１は風上側第二長手辺２１ａ及び導風側第二長手辺２１ｂに連結するが、風上側第二長手辺２１ａ及び導風側第二長手辺２１ｂに直交しない。これにより、各連結段２を折り曲げ案内部２１１に沿って荷重段１に対して折り曲げると、ブレード連結面２２に第一傾斜部２２１及び第二傾斜部２２２を形成することができる。第一傾斜部２２１と水平面Ｓの間に風上調整角度θ１を形成することができ、第二傾斜部２２２と水平面Ｓの間に上下調整角度θ２を形成することができる。これにより、風上調整角度θ１及び上下調整角度θ２を形成するための別の手段を提供することができる。
【００３８】
さらに、本実施例のブレード連結面２２は別の折り曲げ案内部２２４を有することができる。ブレード連結面２２の折り曲げ案内部２２４は連結段表面２１の折り曲げ案内部２１１に相対することが好ましい。これにより、各連結段２を荷重段１に対して折り曲げる際、折り曲げ案内部２１１及び折り曲げ案内部２２４によってより折り曲げ易くなるので、製造時間を減少する効果を有する。
【実施例７】
【００３９】
図１３に示されるように、本発明に係るブレード連結盤Ｄの第七実施例において、ブレード連結面２２と連結段表面２１の間隔は風上側第一長手辺２２ａから導風側第一長手辺２２ｂへ向かって次第に広がることでブレード連結面２２に第一傾斜部２２１を形成する。第一傾斜部２２１と水平面Ｓの間に風上調整角度θ１を形成することができる。なお、折り曲げ案内部２１１は風上側第二長手辺２１ａ及び導風側第二長手辺２１ｂに連結し、且つ、風上側第二長手辺２１ａ及び導風側第二長手辺２１ｂに直交する。このような構成を有することによって、各連結段２を折り曲げ案内部２１１に沿って荷重段１に対して上へ折り曲げることでブレード連結面２２に第二傾斜部２２２を形成することができ、第二傾斜部２２２は水平面Ｓに対して上下調整角度θ２を形成することができる。これにより、風上調整角度θ１及び上下調整角度θ２を形成するための別の手段を提供することができる。
【００４０】
さらに、ブレード連結盤Ｄは係止ブロック５を含むことができる。係止ブロック５は荷重段１に隣接し、ブレード連結面２２に連結し、且つブレード連結面２２から突出する。ブレード連結盤Ｄの構造強度を向上させるように、係止ブロック５と連結段２は一体成形されることが好ましい。また、係止ブロック５は、ブレード連結面２２に隣接する内表面５１を有することができる。ブレード４（図４参照）においてモータ３（図４参照）に近接する端面は係止ブロック５の内表面５１に当接することが好ましい。これにより、ブレード４を組み立てる際に、容易にブレード４を位置決めすることができるので、組立利便性を向上させる効果を有する。
【００４１】
以上の説明から明らかなように、本発明に係るブレード連結盤及びそれを用いた天井扇風機は、各連結段のブレード連結面に少なくとも一つの傾斜部を有することで、ブレードをブレード連結面に連結すると、ブレードは風上調整角度を形成することによって送風量を調整し、又は上下調整角度を形成することによって送風範囲を調整することができる。これにより、使用者が大きい又は小さい風量、広い送風範囲又は集中した送風範囲を有する扇風機を購入しようとする場合、いずれの場合もメーカーには異なる角度を有するブレードを生産するための金型を起こす必要がないので、製造コストを低減し、及び経済的収益を向上させる効果を有する。
【００４２】
本発明は、その精神と必須の特徴事項から逸脱することなく他のやり方で実施することができる。従って、本明細書に記載した好ましい実施形態は、例示的なものであり、本発明の範囲を限定するものではない。
【符号の説明】
【００４３】
１        荷重段
１ａ      カーブ状体
２        連結段
２１      連結段表面
２１１    折り曲げ案内部
２１ａ    風上側第二長手辺
２１ｂ    導風側第二長手辺
２２      ブレード連結面
２２１    第一傾斜部（傾斜部）
２２２    第二傾斜部（傾斜部）
２２ａ    風上側第一長手辺
２２ｂ    導風側第一長手辺
２２ｃ    外側短手辺
２２３    第三傾斜部（傾斜部）
２２４    折り曲げ案内部
２３      緊締孔
３        モータ
４        ブレード
４１      貫通孔
５        係止ブロック
５１      内表面
Ｄ        ブレード連結盤
Ｆ        緊締部材
Ｓ        水平面
θ１      風上調整角度
θ２      上下調整角度
【図１】
2020002946.tif 000003
【図２】
2020002946.tif 000004
【図３】
2020002946.tif 000005
【図４】
2020002946.tif 000006
【図５】
2020002946.tif 000007
【図６】
2020002946.tif 000008
【図７】
2020002946.tif 000009
【図８】
2020002946.tif 000010
【図９】
2020002946.tif 000011
【図１０】
2020002946.tif 000012
【図１１】
2020002946.tif 000013
【図１２】
2020002946.tif 000014
【図１３】
2020002946.tif 000015